(57)【特許請求の範囲】
【請求項１】
警備装置と、利用者が携帯可能な情報記憶媒体とを備えた警備システムであって、
前記警備装置は、
監視領域の異常を検知する検知手段と、
前記監視領域を警備解除状態と警備状態を含む複数の警備モードからいずれかの警備モードに設定する操作を行う操作手段と、
前記監視領域を、前記操作手段によって設定操作された前記警備モードに設定する警備設定手段と、
前記監視領域が警備状態に設定されている場合に、前記検知手段により前記監視領域の異常が検知された場合、ネットワークを介して接続された監視センタ等の通報先に異常検知した旨を通報する通報手段と、
前記情報記憶媒体が所定の領域に存在するか否かを検知するとともに、前記情報記憶媒体に割り当てられた固有の識別情報を読み取る媒体検知手段と、
前記情報記憶媒体から、前記識別情報および警備開始要請信号を受信する媒体操作受信手段と、
前記情報記憶媒体の状態として少なくとも在室中および外出中を含む状態を記憶する媒体状態記憶手段と、を備え、
前記情報記憶媒体は、
前記監視領域を警備状態に設定するための操作を行う媒体操作手段と、
前記媒体操作手段が操作された場合に、自己の前記識別情報とともに前記警備開始要請信号を送信する送信手段と、を備え、
前記識別情報は、前記媒体検知手段により読み取り可能に割り当てられ、
前記媒体検知手段は、前記媒体操作受信手段によって前記情報記憶媒体から前記識別情報および前記警備開始要請信号を受信した場合に、前記所定の領域に存在する前記情報記憶媒体の前記識別情報を読み取り、
前記警備設定手段は、前記警備開始要請信号を送信してきた前記情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定し、
前記媒体検知手段は、さらに、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させ、
前記警備装置は、
前記監視領域が警備状態に設定されているときに、前記媒体状態記憶手段に状態が在室中として記憶されている前記情報記憶媒体が前記媒体検知手段により領域内に存在しないと判断された場合、当該情報記憶媒体に故障、電池切れ、紛失等の障害が発生した旨を報知する媒体障害報知手段、を更に備えたことを特徴とする警備システム。
【請求項２】
警備システムであって、
警備装置と、
利用者が携帯可能な情報記憶媒体と、
前記情報記憶媒体を保持する媒体保持手段と、を備え、
前記警備装置は、
監視領域の異常を検知する検知手段と、
前記監視領域を警備解除状態と警備状態を含む複数の警備モードからいずれかの警備モードに設定する操作を行う操作手段と、
前記監視領域を、前記操作手段によって設定操作された前記警備モードに設定する警備設定手段と、
前記監視領域が警備状態に設定されている場合に、前記検知手段により前記監視領域の異常が検知された場合、ネットワークを介して接続された監視センタ等の通報先に異常検知した旨を通報する通報手段と、
前記情報記憶媒体が所定の領域に存在するか否かを検知するとともに、前記情報記憶媒体に割り当てられた固有の識別情報を読み取る媒体検知手段と、
前記情報記憶媒体から、前記識別情報および警備開始要請信号を受信する媒体操作受信手段と、
前記情報記憶媒体の状態として少なくとも在室中および外出中を含む状態を記憶する媒体状態記憶手段と、を備え、
前記情報記憶媒体は、
前記監視領域を警備状態に設定するための操作を行う媒体操作手段と、
前記媒体操作手段が操作された場合に、自己の前記識別情報とともに前記警備開始要請信号を送信する送信手段と、を備え、
前記識別情報は、前記媒体検知手段により読み取り可能に割り当てられ、
前記媒体検知手段は、前記媒体操作受信手段によって前記情報記憶媒体から前記識別情報および前記警備開始要請信号を受信した場合に、前記所定の領域に存在する前記情報記憶媒体の前記識別情報を読み取り、
前記警備設定手段は、前記警備開始要請信号を送信してきた前記情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定し、
前記媒体検知手段は、さらに、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させ、
前記媒体保持手段は、前記情報記憶媒体を保持しているとき媒体保持信号を出力し、
前記警備装置は、
前記媒体検知手段により検知された領域内に存在する前記情報記憶媒体の数と、前記媒体保持信号をもとに判断される前記媒体保持手段に保持されている前記情報記憶媒体の数とに差異が生じ、当該差異のある状態が所定時間以上継続した場合に、前記媒体保持手段に保持されていない情報記憶媒体が存在する旨を報知する放置媒体報知手段、を更に備えたことを特徴とする警備システム。
【請求項３】
前記媒体検知手段は、さらに、前記監視領域が警備状態に設定されているときに前記検知手段により前記監視領域の異常が検知された場合に、所定の領域に存在する前記情報記憶媒体の前記識別情報を読み取り、
前記警備設定手段は、前記媒体状態記憶手段に状態が外出中として記憶されている前記情報記憶媒体が領域内に存在する場合には、前記監視領域の前記警備モードを警備解除状態に設定し、
前記通報手段は、前記媒体状態記憶手段に状態が外出中として記憶されている前記情報記憶媒体が領域内に存在する場合で、かつ前記監視領域の前記警備モードが警備解除状態に設定されている場合には、前記通報先への通報は行わず、前記媒体状態記憶手段に状態が外出中として記憶されている前記情報記憶媒体が領域内に存在しない場合には、前記通報先に異常検知した旨を通報することを特徴とする請求項１または２に記載の警備システム。
【請求項４】
前記警備装置は、
前記情報記憶媒体からの前記識別情報および前記警備開始要請信号を受信すると操作応答信号を返信する媒体操作応答手段を更に備え、
前記情報記憶媒体は、
前記媒体操作応答手段から前記操作応答信号を受信すると、前記監視領域を警備状態に設定する操作が受付けられた旨を報知する報知手段を更に備えたことを特徴とする請求項１〜３のいずれか一項に記載の警備システム。
【請求項５】
前記情報記憶媒体は、
内蔵電池の電力量を検知する電力量検知手段と、
前記電力量検知手段により検知された電力量が所定量以下であると判断された場合に、電力低下している旨を報知する電力低下報知手段と、
を更に備えたことを特徴とする請求項１〜４のいずれか一つに記載の警備システム。
【請求項６】
警備装置と、利用者が携帯可能な情報記憶媒体とを備えた警備システムで実行される警備方法であって、
前記警備装置は、前記情報記憶媒体の状態として少なくとも在室中および外出中を含む状態を記憶する媒体状態記憶手段、を備え、
監視領域の異常を検知する検知工程と、
前記監視領域を警備解除状態と警備状態を含む複数の警備モードからいずれかの警備モードに設定する操作を行う操作工程と、
前記監視領域を、前記操作工程において設定操作された前記警備モードに設定する第１警備設定工程と、
前記監視領域が警備状態に設定されている場合に、前記検知工程において前記監視領域の異常が検知された場合、ネットワークを介して接続された監視センタ等の通報先に異常検知した旨を通報する通報工程と、
前記情報記憶媒体が所定の領域に存在するか否かを検知するとともに、前記情報記憶媒体に割り当てられた固有の識別情報を読み取る第１媒体検知工程と、
前記情報記憶媒体から、前記識別情報および警備開始要請信号を受信する媒体操作受信工程と、
前記情報記憶媒体が有する媒体操作手段によって、前記監視領域を警備状態に設定するための操作を行う媒体操作工程と、
前記媒体操作手段が操作された場合に、当該情報記憶媒体の前記識別情報とともに前記警備要請開始信号を前記警備装置に送信する送信工程と、を含み、
前記識別情報は、前記媒体検知工程により読み取り可能に割り当てられ、
前記媒体操作受信工程において前記情報記憶媒体から前記識別情報および前記警備開始要請信号を受信した場合に、前記所定の領域に存在する前記情報記憶媒体の前記識別情報を読み取る第２媒体検知工程と、
前記警備開始要請信号を送信してきた情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定する第２警備設定工程と、
前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させる第３媒体検知工程と、
前記監視領域が警備状態に設定されているときに、前記媒体状態記憶手段に状態が在室中として記憶されている前記情報記憶媒体が前記第３媒体検知工程において領域内に存在しないと判断された場合、当該情報記憶媒体に故障、電池切れ、紛失等の障害が発生した旨を報知する媒体障害報知工程、を更に含むことを特徴とする警備方法。
【請求項７】
警備システムで実行される警備方法であって、
前記警備システムは、
警備装置と、
前記利用者が形態可能な情報記憶媒体と、
前記情報記憶媒体を保持する媒体保持手段と
を備え、
前記警備装置は、前記情報記憶媒体の状態として少なくとも在室中および外出中を含む状態を記憶する媒体状態記憶手段を有し、
監視領域の異常を検知する検知工程と、
前記監視領域を警備解除状態と警備状態を含む複数の警備モードからいずれかの警備モードに設定する操作を行う操作工程と、
前記監視領域を、前記操作工程において設定操作された前記警備モードに設定する第１警備設定工程と、
前記監視領域が警備状態に設定されている場合に、前記検知工程において前記監視領域の異常が検知された場合、ネットワークを介して接続された監視センタ等の通報先に異常検知した旨を通報する通報工程と、
前記情報記憶媒体が所定の領域に存在するか否かを検知するとともに、前記情報記憶媒体に割り当てられた固有の識別情報を読み取る第１媒体検知工程と、
前記情報記憶媒体から、前記識別情報および警備開始要請信号を受信する媒体操作受信工程と、
前記情報記憶媒体が有する媒体操作手段によって、前記監視領域を警備状態に設定するための操作を行う媒体操作工程と、
前記媒体操作手段が操作された場合に、当該情報記憶媒体の前記識別情報とともに前記警備要請開始信号を前記警備装置に送信する送信工程と、を含み、
前記識別情報は、前記媒体検知工程により読み取り可能に割り当てられ、
前記媒体操作受信工程において前記情報記憶媒体から前記識別情報および前記警備開始要請信号を受信した場合に、前記所定の領域に存在する前記情報記憶媒体の前記識別情報を読み取る第２媒体検知工程と、
前記警備開始要請信号を送信してきた情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定する第２警備設定工程と、
前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させる第３媒体検知工程と、
前記媒体保持手段が前記情報記憶媒体を保持しているとき媒体保持信号を出力する媒体保持信号出力工程と、
前記第１媒体検知工程、前記第２媒体検知工程または前記第３媒体検知工程において検知された領域内に存在する前記情報記憶媒体の数と、前記媒体保持信号をもとに判断される前記媒体保持手段に保持されている前記情報記憶媒体の数とに差異が生じ、当該差異のある状態が所定時間以上継続した場合に、前記媒体保持手段に保持されていない情報記憶媒体が存在する旨を報知する放置媒体報知工程と、を更に含むことを特徴とする警備方法。
【発明の詳細な説明】
【技術分野】
【０００１】
本発明は、監視領域の警備を行う警備システムおよび警備方法に関するものであり、特に、監視領域から利用者が外出する際に監視領域を警備状態に設定し、監視領域に利用者が帰宅した場合に監視領域の警備を解除する場合に関する、警備システムおよび警備方法に関する。
【背景技術】
【０００２】
近年、警備が行われている監視領域に帰宅したときに警備を解除する場合や、警備が解除されている監視領域の警備を設定してから外出する場合に、正当な利用者が検知されることによる誤報が発生しないようにタイマ機能を利用した技術が知られている。例えば、警備動作開始スイッチ４２がＯＮにされると、警備動作が開始されるまでの猶予時間としての退室準備時間のカウントが開始され、ドア１４が閉じられるとともに、退室準備時間が経過した場合に、警備動作に移行される技術が開示されている（例えば、特許文献１参照）。
【０００３】
また、特許文献１の技術では、警備動作が開始されている場合に、不審者Ａがドア１４を開けて住宅１２内へ入ろうとすると、第１センサ２２により検知されてブザー等の警報手段が作動されるが、住人等（利用者）が住宅１２内へ入る場合には、住人等が所持するタグなどの情報記憶媒体に書き込まれた識別情報をアンテナ２６が読み取ることで警報手段の動作を停止して、警報を発しないようになっている。
【０００４】
【特許文献１】特開２００３−３０３３７９号公報
【発明の開示】
【発明が解決しようとする課題】
【０００５】
しかしながら、警備が設定されている監視領域に入館して警備を解除する場合にタイマ機能を利用すると、監視領域に入館した時点から予め設定したタイマ時間が経過するまでに、警備解除の指示を入力するコントローラまで到達して、暗証番号の入力等の警備解除を指示するための解除操作を行う必要がある。このため、タイマ時間に間に合わない場合には、警報が出力されてしまうので、利用者にとって負担が強いられるという問題があった。そして、このタイマ時間内に所定の解除操作が正しく完了されなかった場合は、監視センタへ異常が発生した旨の通報がなされ、その結果、警備員等により誤報であることを確認する必要があった。
【０００６】
また、警備が解除されている監視領域の警備を設定して退館する場合に上記特許文献１の技術のようにタイマ機能を利用すると、コントローラで警備を設定した時点から予め設定したタイマ時間が経過するまでに、監視領域からの退館を完了する必要があった。そして、このタイマ時間内に退館を完了できなかった場合は、上記と同様に監視センタへ通報がなされて、警備員等により誤報であることを確認する必要があった。
【０００７】
また、上述したようなタイマ時間は、正当な利用者が検知されることによる誤報が発生しないようにするために設けられた猶予時間であるが、侵入者に対する時間的猶予を最小限とする必要もあるため、通常の入館または退館にかかると想定される時間にわずかな猶予時間を加えたものをタイマ時間として用いることが多い。従って、猶予の少ない時間内に上記の操作や動作を完了させなければいけないこととなり、正規の利用者の行動に負担を与えていた。
【０００８】
本発明は、上記に鑑みてなされたものであって、利用者への負担を軽減し、かつ誤報を軽減して警備員の負担を軽減することができる警備システムおよび警備方法を得ることを目的とする。
【課題を解決するための手段】
【０００９】
上述した課題を解決し、目的を達成するために、本発明は、警備装置と、利用者が携帯可能な情報記憶媒体とを備えた警備システムであって、前記警備装置は、監視領域の異常を検知する検知手段と、前記監視領域を警備解除状態と警備状態を含む複数の警備モードからいずれかの警備モードに設定する操作を行う操作手段と、前記監視領域を、前記操作手段によって設定操作された前記警備モードに設定する警備設定手段と、前記監視領域が警備状態に設定されている場合に、前記検知手段により前記監視領域の異常が検知された場合、ネットワークを介して接続された監視センタ等の通報先に異常検知した旨を通報する通報手段と、前記情報記憶媒体が所定の領域に存在するか否かを検知するとともに、前記情報記憶媒体に割り当てられた固有の識別情報を読み取る媒体検知手段と、前記情報記憶媒体から、前記識別情報および警備開始要請信号を受信する媒体操作受信手段と、前記情報記憶媒体の状態として少なくとも在室中および外出中を含む状態を記憶する媒体状態記憶手段と、を備え、前記情報記憶媒体は、前記監視領域を警備状態に設定するための操作を行う媒体操作手段と、前記媒体操作手段が操作された場合に、自己の前記識別情報とともに前記警備開始要請信号を送信する送信手段と、を備え、前記識別情報は、前記媒体検知手段により読み取り可能に割り当てられ、前記媒体検知手段は、前記媒体操作受信手段によって前記情報記憶媒体から前記識別情報および前記警備開始要請信号を受信した場合に、前記所定の領域に存在する前記情報記憶媒体の前記識別情報を読み取り、前記警備設定手段は、前記警備開始要請信号を送信してきた前記情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定し、前記媒体検知手段は、さらに、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させ、前記警備装置は、前記監視領域が警備状態に設定されているときに、前記媒体状態記憶手段に状態が在室中として記憶されている前記情報記憶媒体が前記媒体検知手段により領域内に存在しないと判断された場合、当該情報記憶媒体に故障、電池切れ、紛失等の障害が発生した旨を報知する媒体障害報知手段、を更に備えたことを特徴とする。
【００１０】
また、本発明は、警備システムであって、警備装置と、利用者が携帯可能な情報記憶媒体と、前記情報記憶媒体を保持する媒体保持手段と、を備え、前記警備装置は、監視領域の異常を検知する検知手段と、前記監視領域を警備解除状態と警備状態を含む複数の警備モードからいずれかの警備モードに設定する操作を行う操作手段と、前記監視領域を、前記操作手段によって設定操作された前記警備モードに設定する警備設定手段と、前記監視領域が警備状態に設定されている場合に、前記検知手段により前記監視領域の異常が検知された場合、ネットワークを介して接続された監視センタ等の通報先に異常検知した旨を通報する通報手段と、前記情報記憶媒体が所定の領域に存在するか否かを検知するとともに、前記情報記憶媒体に割り当てられた固有の識別情報を読み取る媒体検知手段と、前記情報記憶媒体から、前記識別情報および警備開始要請信号を受信する媒体操作受信手段と、前記情報記憶媒体の状態として少なくとも在室中および外出中を含む状態を記憶する媒体状態記憶手段と、を備え、前記情報記憶媒体は、前記監視領域を警備状態に設定するための操作を行う媒体操作手段と、前記媒体操作手段が操作された場合に、自己の前記識別情報とともに前記警備開始要請信号を送信する送信手段と、を備え、前記識別情報は、前記媒体検知手段により読み取り可能に割り当てられ、前記媒体検知手段は、前記媒体操作受信手段によって前記情報記憶媒体から前記識別情報および前記警備開始要請信号を受信した場合に、前記所定の領域に存在する前記情報記憶媒体の前記識別情報を読み取り、前記警備設定手段は、前記警備開始要請信号を送信してきた前記情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定し、前記媒体検知手段は、さらに、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させ、前記媒体保持手段は、前記情報記憶媒体を保持しているとき媒体保持信号を出力し、前記警備装置は、前記媒体検知手段により検知された領域内に存在する前記情報記憶媒体の数と、前記媒体保持信号をもとに判断される前記媒体保持手段に保持されている前記情報記憶媒体の数とに差異が生じ、当該差異のある状態が所定時間以上継続した場合に、前記媒体保持手段に保持されていない情報記憶媒体が存在する旨を報知する放置媒体報知手段、を更に備えたことを特徴とする。
【００１１】
また、本発明は、警備装置と、利用者が携帯可能な情報記憶媒体とを備えた警備システムで実行される警備方法であって、前記警備装置は、前記情報記憶媒体の状態として少なくとも在室中および外出中を含む状態を記憶する媒体状態記憶手段、を備え、監視領域の異常を検知する検知工程と、前記監視領域を警備解除状態と警備状態を含む複数の警備モードからいずれかの警備モードに設定する操作を行う操作工程と、前記監視領域を、前記操作工程において設定操作された前記警備モードに設定する第１警備設定工程と、前記監視領域が警備状態に設定されている場合に、前記検知工程において前記監視領域の異常が検知された場合、ネットワークを介して接続された監視センタ等の通報先に異常検知した旨を通報する通報工程と、前記情報記憶媒体が所定の領域に存在するか否かを検知するとともに、前記情報記憶媒体に割り当てられた固有の識別情報を読み取る第１媒体検知工程と、前記情報記憶媒体から、前記識別情報および警備開始要請信号を受信する媒体操作受信工程と、前記情報記憶媒体が有する媒体操作手段によって、前記監視領域を警備状態に設定するための操作を行う媒体操作工程と、前記媒体操作手段が操作された場合に、当該情報記憶媒体の前記識別情報とともに前記警備要請開始信号を前記警備装置に送信する送信工程と、を含み、前記識別情報は、前記媒体検知工程により読み取り可能に割り当てられ、前記媒体操作受信工程において前記情報記憶媒体から前記識別情報および前記警備開始要請信号を受信した場合に、前記所定の領域に存在する前記情報記憶媒体の前記識別情報を読み取る第２媒体検知工程と、前記警備開始要請信号を送信してきた情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定する第２警備設定工程と、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させる第３媒体検知工程と、前記監視領域が警備状態に設定されているときに、前記媒体状態記憶手段に状態が在室中として記憶されている前記情報記憶媒体が前記第３媒体検知工程において領域内に存在しないと判断された場合、当該情報記憶媒体に故障、電池切れ、紛失等の障害が発生した旨を報知する媒体障害報知工程、を更に含むことを特徴とする。
【００１２】
また、本発明は、警備システムで実行される警備方法であって、前記警備システムは、警備装置と、前記利用者が形態可能な情報記憶媒体と、前記情報記憶媒体を保持する媒体保持手段とを備え、前記警備装置は、前記情報記憶媒体の状態として少なくとも在室中および外出中を含む状態を記憶する媒体状態記憶手段を有し、監視領域の異常を検知する検知工程と、前記監視領域を警備解除状態と警備状態を含む複数の警備モードからいずれかの警備モードに設定する操作を行う操作工程と、前記監視領域を、前記操作工程において設定操作された前記警備モードに設定する第１警備設定工程と、前記監視領域が警備状態に設定されている場合に、前記検知工程において前記監視領域の異常が検知された場合、ネットワークを介して接続された監視センタ等の通報先に異常検知した旨を通報する通報工程と、前記情報記憶媒体が所定の領域に存在するか否かを検知するとともに、前記情報記憶媒体に割り当てられた固有の識別情報を読み取る第１媒体検知工程と、前記情報記憶媒体から、前記識別情報および警備開始要請信号を受信する媒体操作受信工程と、前記情報記憶媒体が有する媒体操作手段によって、前記監視領域を警備状態に設定するための操作を行う媒体操作工程と、前記媒体操作手段が操作された場合に、当該情報記憶媒体の前記識別情報とともに前記警備要請開始信号を前記警備装置に送信する送信工程と、を含み、前記識別情報は、前記媒体検知工程により読み取り可能に割り当てられ、前記媒体操作受信工程において前記情報記憶媒体から前記識別情報および前記警備開始要請信号を受信した場合に、前記所定の領域に存在する前記情報記憶媒体の前記識別情報を読み取る第２媒体検知工程と、前記警備開始要請信号を送信してきた情報記憶媒体が領域内に存在する場合には前記監視領域の前記警備モードの警備状態への設定を保留し、前記警備開始要請信号を送信してきた前記情報記憶媒体が領域内に存在しなくなった時点で前記監視領域の前記警備モードを前記警備状態に設定する第２警備設定工程と、前記警備状態に設定された後、前記所定の領域に存在する前記情報記憶媒体の前記識別情報を読み取り、領域内に存在する前記情報記憶媒体の状態を在室中に、領域内に存在しない前記情報記憶媒体の状態を外出中として前記媒体状態記憶手段に記憶させる第３媒体検知工程と、前記媒体保持手段が前記情報記憶媒体を保持しているとき媒体保持信号を出力する媒体保持信号出力工程と、前記第１媒体検知工程、前記第２媒体検知工程または前記第３媒体検知工程において検知された領域内に存在する前記情報記憶媒体の数と、前記媒体保持信号をもとに判断される前記媒体保持手段に保持されている前記情報記憶媒体の数とに差異が生じ、当該差異のある状態が所定時間以上継続した場合に、前記媒体保持手段に保持されていない情報記憶媒体が存在する旨を報知する放置媒体報知工程と、を更に含むことを特徴とする。
【発明の効果】
【００１４】
本発明によれば、利用者が携帯する情報記憶媒体を利用して警備状態への設定または警備解除状態への設定を行うことにより、利用者への負担を軽減し、かつ誤報を軽減して警備員の負担を軽減することができるという効果を奏する。
【発明を実施するための最良の形態】
【００１５】
以下に添付図面を参照して、この発明にかかる警備システムおよび警備方法の最良な実施の形態を詳細に説明する。
【００１６】
（実施の形態１）
実施の形態１にかかる警備装置は、ＲＦＩＤタグ１個を利用して警備状態または警備解除状態への設定を行うものである。図１は、実施の形態１にかかる警備装置が配置された監視領域を示す図である。図１に示すように、警備装置１００は、監視領域１０の内部に設置されており、電話回線、無線ネットワーク、インターネットなどのネットワーク９００を介して監視センタ８００と接続されている。また、監視領域１０には、警備装置１００に接続されたコントローラ１０１、センサ１０３、およびＲＦＩＤ（Radio  Frequency  Identification）リーダ１０４が配置されている。なお、それらの詳細は後述する（図２参照）。
【００１７】
センサ検知エリアαは、監視領域１０の出入口１１を囲む領域であって、センサ１０３により利用者等を検知可能な範囲を示している。出入口１１から入館してきた者は、必ずセンサ検知エリアαを通過することになっている。
【００１８】
ＲＦＩＤタグ検知エリアβは、監視領域１０全体を囲む領域であって、ＲＦＩＤリーダ１０４により後述するＲＦＩＤタグ２００を検知可能な範囲を示している。
【００１９】
監視センタ８００は、監視領域１０の異常を検知した警備装置１００からの通報を受け、待機中の警備員に対して異常が検知された監視領域１０へ向かう旨の指示を出すとともに、必要に応じて警察や消防など関係機関への通報を行うセンタである。
【００２０】
次に、警備装置１００の詳細について説明する。図２は、実施の形態１にかかる警備装置の構成を示すブロック図である。本実施の形態にかかる警備装置１００は、センサ１０３と、ＲＦＩＤリーダ１０４と、コントローラ１０１と、入出力制御部１１５と、制御部１５０と、通信制御部１１６とを主に備えている。
【００２１】
センサ１０３は、監視領域１０の出入口１１付近に設置されて監視領域１０へ入館してきた侵入者や正当な利用者等が、図１で示すセンサ検知エリアαに入った場合に該侵入者や利用者等を検知する人感センサである。また、必要に応じて監視領域１０の出入口１１付近以外の場所にも設置される。センサ１０３の種類としては、赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域１０の異常を検知する各種センサ等が該当する。
【００２２】
ＲＦＩＤリーダ１０４は、利用者が携帯（所持）可能なＲＦＩＤタグ２００を通信距離内で認識し、ＲＦＩＤタグ２００から送信される信号、すなわちＲＦＩＤタグ２００に記憶されているＲＦＩＤタグ２００に固有の識別情報であるタグＩＤを非接触で受信して読み取るものである。また、ＲＦＩＤリーダ１０４は、ＲＦＩＤ２００から監視領域の警備モードを警備状態に設定することを要請する警備開始要請信号を受信する。ここで、ＲＦＩＤとは、電波/電磁波を利用して、非接触でＩＤ等の読み出し/書き込みを行なうものであり、内部に電子的な情報を持つタグが、読み取り装置（ＲＦＩＤリーダ）と電波で送受信を行うことで、タグに記録されている情報を識別する技術である。本実施の形態では、ＲＦＩＤリーダ１０４の通信範囲は、図１のＲＦＩＤタグ検知エリアβで示すように監視領域１０を囲む範囲としている。なお、このような通信範囲を確保するため、ＲＦＩＤリーダ１０４は複数設けてもよい。
【００２３】
ここで、本実施の形態のＲＦＩＤタグ２００は、警備装置１００のＲＦＩＤリーダ１０４に定期的にタグＩＤを送信し、ＲＦＩＤリーダ１０４は、タグＩＤを定期的に受信し、警備装置１００に登録されているタグＩＤと認証することにより登録されたＲＦＩＤタグであることを確認するものとして説明する。
【００２４】
また、本実施の形態のＲＦＩＤタグ２００には操作ボタン２０１が設けられている。この操作ボタン２０１は、監視領域の警備モードを後述する警備状態に設定するために押下可能なものであり、この操作ボタン２０１の押下操作が行われると上記警備開始要請信号が警備装置１００に送信される。
【００２５】
コントローラ１０１は、利用者からの入力を受け付けるものであり、更に、操作表示部１０２を備えている。操作表示部１０２は、例えばタッチ入力式の液晶画面であり、利用者に対して設定画面を表示して、警備モードを警備解除状態から警備状態に切り替える操作である切替入力を受け付けるものである。
【００２６】
ここで、警備モードとは、監視領域において異常検知した際の通報先への通報の可否、または監視領域に対する報知の可否などを定めたモードであり、異常を検知したときの警備装置１００の動作を決定するモードである。警備モードは、通報の可否および通報先、監視領域への報知の有無などによって複数のモードが存在し、代表的な警備モードとしては、警備状態、警備解除状態がある。
【００２７】
まず、警備状態とは、主に利用者が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００２８】
警備解除状態とは、主に利用者が在宅中、警備を必要としない場合に設定する警備モードであり、センサによって異常を検知したときに発せられる検知信号を警備装置が受信した場合でも、監視センタへの警報の通報を行わず、監視領域における異常があるとは判断しない状態である。これは、センサにより異常を検知（人の存在の検知、扉の開閉の検知）しても、在宅中の利用者を検知したものと判断するためである。
【００２９】
入出力制御部１１５は、センサ１０３、ＲＦＩＤリーダ１０４、およびコントローラ１０１の入出力制御、監視領域の音声を取得するマイク（図示せず）の入力制御、送信された音声を出力するスピーカ（図示せず）の出力制御により種々のデータの入出力を制御する処理部である。具体的には、例えば、入出力制御部１１５は、センサ１０３により検知した情報やＲＦＩＤリーダ１０４から受信したタグＩＤ、コントローラ１０１の操作表示部１０２から受け付けた切替入力等を制御部１５０に送出する。
【００３０】
通信制御部１１６は、警備装置１００とネットワーク９００との間における通信を制御するものであり、具体的にはネットワークボードなどが該当する。
【００３１】
制御部１５０は、警備装置１００の全体を制御するものであり、さらに、警備モード設定部１５１と、警備モード記憶部１５２と、タグ検知部１５４と、通報部１５５と、報知部１５６とを主に備えている。
【００３２】
警備モード記憶部１５２は、監視領域１０における現在の警備モード、例えば、上述した警備状態または警備解除状態を記憶するメモリなどの記憶媒体である。
【００３３】
タグ検知部１５４は、ＲＦＩＤリーダ１０４によりＲＦＩＤタグ２００から送信されたタグＩＤを受信したか否かを判断するものである。これにより、タグ検知部１５４は、ＲＦＩＤタグ２００から送信されたタグＩＤが受信可能な範囲、すなわちＲＦＩＤタグ検知エリアβにＲＦＩＤタグ２００が存在するか否かを検知する。
【００３４】
つまり、タグ検知部１５４は、ＲＦＩＤタグ２００から送信されたタグＩＤが受信できる場合、その通信状態からＲＦＩＤタグ２００がＲＦＩＤタグ検知エリアβの内部に存在する（圏内にある）と判断する。一方、タグ検知部１５４は、ＲＦＩＤタグ２００から送信されたタグＩＤが受信できない場合、その通信状態からＲＦＩＤタグ２００がＲＦＩＤタグ検知エリアβの内部に存在しない、すなわちＲＦＩＤタグ検知エリアβの外部に存在する（圏外にある）と判断することになる。
【００３５】
また、タグ検知部１５４は、操作表示部１０２から切替入力を受け付けた後にも、同様にＲＦＩＤリーダ１０４によりＲＦＩＤタグ２００から送信されたタグＩＤを受信したか否かを判断し、ＲＦＩＤタグ２００がＲＦＩＤタグ検知エリアβの内部に存在するか否かを判断する。
【００３６】
さらに、タグ検知部１５４は、ＲＦＩＤタグ２００から警備開始要請信号をＲＦＩＤリーダ１０４で受信した後にも、同様にＲＦＩＤリーダ１０４によりＲＦＩＤタグ２００から送信されたタグＩＤを受信したか否かを判断し、ＲＦＩＤタグ２００がＲＦＩＤタグ検知エリアβの内部に存在するか否かを判断する。
【００３７】
図３および図４は、ＲＦＩＤタグの通信状態の説明図である。図３では、ＲＦＩＤタグ２００がＲＦＩＤタグ検知エリアβの内部にあるため、ＲＦＩＤリーダ１０４がＲＦＩＤタグ２００から送信されたタグＩＤを受信することが可能となっている。つまり、このような場合に、タグ検知部１５４は、ＲＦＩＤタグ２００がＲＦＩＤタグ検知エリアβの内部に存在する（圏内にある）と判断する。また、図４では、ＲＦＩＤタグ２００がＲＦＩＤタグ検知エリアβの外部にあるため、ＲＦＩＤリーダ１０４がＲＦＩＤタグ２００から送信されたタグＩＤを受信することが不可能となっている。つまり、このような場合に、タグ検知部１５４は、ＲＦＩＤタグ２００がＲＦＩＤタグ検知エリアβの外部に存在する（圏外にある）と判断する。
【００３８】
なお、本実施の形態では、ＲＦＩＤタグ２００から送信される信号をタグＩＤとしており、ＲＦＩＤリーダ１０４がＲＦＩＤタグ２００からタグＩＤを受信する構成としているが、これに限定されることはない。すなわち、ＲＦＩＤ１０４がＲＦＩＤタグ２００から送信される信号を受信したか否かにより、ＲＦＩＤタグ２００がＲＦＩＤタグ検知エリアβ内部に存在するか外部に存在するかを判断できるものであれば、ＲＦＩＤタグ２００の種類およびＲＦＩＤタグ２００とＲＦＩＤリーダ１０４との通信方式は何でもよい。
【００３９】
警備モード設定部１５１は、警備モード記憶部１５２に警備解除状態と記憶されている時に、コントローラ１０１において警備状態に切換えるための操作が行われた場合、またＲＦＩＤリーダ１０４によりＲＦＩＤタグ２００から警備開始要請信号を受信した場合に、タグ検知部１５４の検知結果をもとに、ＲＦＩＤタグ２００がＲＦＩＤタグ検知エリアβ内に存在する間は警備状態への切換えを保留しておく。その後、ＲＦＩＤタグ２００がＲＦＩＤタグ検知エリアβの外部に移動したと判断すると、警備モード記憶部１５２の記憶内容を警備状態に変更することにより、警備状態に設定する。
【００４０】
また、警備モード設定部１５１は、警備モード記憶部１５２に警備状態と記憶されている時に、センサ１０３により監視領域１０において人を検知すると、タグ検知部１５４の検知結果をもとにＲＦＩＤタグ２００がＲＦＩＤタグ検知エリアβ内に存在するかを判断し、存在すると判断した場合は、警備モード記憶部１５２の記憶内容を警備解除状態に変更することにより、警備解除状態に設定する。この場合、検知されたのはＲＦＩＤタグを所持した住人等であるので、異常検知した旨の通報は行われない。
【００４１】
一方、タグ検知部１５４の検知結果をもとにＲＦＩＤタグ２００がＲＦＩＤタグ検知エリアβ内に存在しないと判断した場合は、警備解除状態への設定は行われない。よって、不正侵入者を検知したものと判断される。
【００４２】
通報部１５５は、警備状態に設定された監視領域１０に不正侵入者が入館したことを検知すると、監視センタ８００に対して異常が検知されたという異常検知情報を通報するものであり、ネットワーク９００を介して監視センタ８００に異常検知情報を通報する。
【００４３】
報知部１５６は、警備状態に設定された監視領域１０に不正侵入者が入館したことを検知すると、監視領域１０に対して異常が検知したことを報知するものである。具体的には例えば、監視領域１０に対して異常を検知したことを報知する。
【００４４】
次に、以上のように構成された警備装置１００における警備状態の設定処理について説明する。警備除状態の設定が行われるのは、利用者が監視領域から退館（外出）する場合である。図５は、実施の形態１にかかる警備装置における警備状態の設定処理の手順を示すフローチャートである。また、図６および図７は、実施の形態１にかかる警備装置における警備状態の設定処理の過程を示す説明図である。
【００４５】
はじめにコントローラ１０１の操作表示部１０２において、監視領域１０を警備状態に設定するための操作が行われると（ステップＳ２０：Ｙｅｓ）、タグ検知部１５４の検知結果をもとにＲＦＩＤタグがＲＦＩＤタグ検知エリアβ内に存在するか否かを確認する（ステップＳ２１）。タグ検知部１５４の検知結果により、ＲＦＩＤタグがＲＦＩＤタグ検知エリアβ内に存在すると判断した場合（ステップＳ２１：Ｙｅｓ）、再度ステップＳ２１の処理を繰り返す。
【００４６】
図６に示すように、利用者がコントローラ１０１において、監視領域１０を警備状態に設定する操作を行ってから監視領域１０から退館するまでの間は、ＲＦＩＤタグ２００もＲＦＩＤタグ検知エリアβの内部に存在しているため、監視領域１０の内部に設置されているＲＦＩＤリーダ１０４は、ＲＦＩＤタグ２００から送信されるタグＩＤを受信することができ、タグ検知部１５４はＲＦＩＤタグ２００がＲＦＩＤタグ検知エリアβ内に存在すると判断する。
【００４７】
一方、タグ検知部１５４の検知結果により、ＲＦＩＤタグがＲＦＩＤタグ検知エリアβ内に存在しないと判断した場合（ステップＳ２１：Ｎｏ）、警備モード設定部１５１は、警備モード記憶部１５２に警備状態を記憶させることにより、現在の警備モードを警備解除状態から警備状態に切替えて設定する（ステップＳ２２）。これは、切替入力を行った利用者が監視領域１０から退館したと判断している。
【００４８】
つまり、図１１に示すように、ＲＦＩＤタグ２００を携帯した利用者は、監視領域１０の内部に設置されたコントローラ１０１で切替入力を行った後、出入口１１を通過してＲＦＩＤタグ検知エリアβの外部へ出て行くと、ＲＦＩＤタグ２００もＲＦＩＤタグ検知エリアβの外部に移動することになる。
【００４９】
このように、警備装置１００による警備状態の設定処理では、操作表示部１０２により切替入力を受け付け、タグ検知部１５４によりＲＦＩＤタグ検知エリアβの範囲内に存在したＲＦＩＤタグ２００が範囲外に移動したと判断された場合、警備モード設定部１５１は、現在の警備モードを警備解除状態から警備状態に切り替える設定を行う。これによって、警備状態に設定した後に予め定めたタイマ時間内に退館完了する必要がなくなる。
【００５０】
次に、以上のように構成された警備装置１００における警備解除状態の設定処理について説明する。警備解除状態の設定が行われるのは、利用者が監視領域に入館（帰宅）した場合である。図８は、実施の形態１にかかる警備装置における警備解除状態の設定処理の手順を示すフローチャートである。また、図９および図１０は、実施の形態１にかかる警備装置における警備解除状態の設定処理の過程を示す説明図である。
【００５１】
警備モード記憶部１５２に監視領域１０が警備状態と記憶されているときに（ステップＳ１０：Ｙｅｓ）、センサ１０３により監視領域１０において異常が検知されると（ステップＳ１１：Ｙｅｓ）、タグ検知部１５４の検知結果をもとにＲＦＩＤタグ２００がＲＦＩＤタグ検知エリアβの範囲内に存在するか否かを確認する（ステップＳ１２）。
【００５２】
図９に示すように、利用者は外出する際にＲＦＩＤタグ２００を携帯している。この状態では、利用者はＲＦＩＤタグ検知エリアβの外部にいることから、ＲＦＩＤタグ２００もＲＦＩＤタグ検知エリアβの範囲外に存在しているため、監視領域１０の内部に設置されているＲＦＩＤリーダ１０４は、ＲＦＩＤタグ２００から送信されるタグＩＤを受信することができず、タグ検知部１５４はＲＦＩＤタグ２００がＲＦＩＤタグ検知エリアβの範囲内に存在しない判断する。
【００５３】
そして、図１０に示すように、外出中の利用者が帰宅すると、出入口１１を通過して監視領域１０の内部に入り、さらにセンサ検知エリアαを通過する。するとセンサ１０３は利用者を検知することになる。このとき、利用者はＲＦＩＤタグ２００を携帯しているので、ＲＦＩＤタグ２００はＲＦＩＤタグ検知エリアβの範囲内に存在することになり、タグ検知部１５４はＲＦＩＤタグ２００がＲＦＩＤタグ検知エリアβの範囲内に存在すると判断する。
【００５４】
図８に戻り、ＲＦＩＤタグ２００がＲＦＩＤタグ検知エリアβの範囲内に存在しないと判断された場合（ステップＳ１２：Ｎｏ）、センサ１０３により検知されたのは利用者以外の侵入者等であるので、通報部１５５により監視センタ８００への通報を行う（ステップＳ１４）。
【００５５】
一方、ＲＦＩＤタグ２００がＲＦＩＤタグ検知エリアβの範囲内に存在すると判断された場合（ステップＳ１２：Ｙｅｓ）、センサ１０３により検知されたのはＲＦＩＤタグ２００を携帯した利用者であるので、警備モード設定部１５１は、警備モード記憶部１５２に警備解除状態を記憶させることにより、現在の警備モードを警備状態から警備解除状態に切替えて設定する（ステップＳ１３）。
【００５６】
このように、警備装置１００による警備解除状態の設定処理では、警備状態に設定されているときにセンサ１０３が監視領域１０において異常を検知した際、タグ検知部１５４の検知結果をもとにＲＦＩＤタグ２００がＲＦＩＤタグ検知エリアβの範囲内にあるかを確認し、範囲内にある場合、警備モード設定部１５１は、現在の警備モードを警備状態から警備解除状態に切り替える設定を行う。これによって、予め定めたタイマ時間内において警備解除状態に設定する必要がなくなる。
【００５７】
また、本実施の形態の警備装置１００では、ＲＦＩＤタグ２００を所持する利用者が監視領域内でＲＦＩＤ２００の操作ボタン２０１を押下することにより警備状態の設定を行うことができる。この場合も、警備除状態の設定が行われるのは、利用者が監視領域から退館（外出）する場合である。図１１は、実施の形態１にかかる警備装置におけるＲＦＩＤ２００の操作ボタン２０１を利用した警備状態の設定処理の手順を示すフローチャートである。
【００５８】
利用者が監視領域内を警備状態に設定するために、ＲＦＩＤタグ２００の操作ボタン２０１を押下すると、警備開始要請信号がＲＦＩＤ２００からＩＤとともに警備装置１００に送信される。
【００５９】
警備装置１００では、警備開始要請信号の受信待ちとなっており（ステップＳ２５）、ＲＦＩＤタグ２００から警備開始要請信号を受信すると（ステップＳ２５：Ｙｅｓ）、タグ検知部１５４の検知結果をもとにＲＦＩＤタグがＲＦＩＤタグ検知エリアβ内に存在するか否かを確認する（ステップＳ２６）。タグ検知部１５４の検知結果により、ＲＦＩＤタグがＲＦＩＤタグ検知エリアβ内に存在すると判断した場合（ステップＳ２６：Ｙｅｓ）、再度ステップＳ２６の処理を繰り返す。
【００６０】
一方、タグ検知部１５４の検知結果により、ＲＦＩＤタグがＲＦＩＤタグ検知エリアβ内に存在しないと判断した場合（ステップＳ２６：Ｎｏ）、警備モード設定部１５１は、警備モード記憶部１５２に警備状態を記憶させることにより、現在の警備モードを警備解除状態から警備状態に切替えて設定する（ステップＳ２７）。これは、切替入力を行った利用者が監視領域１０から退館したと判断している。
【００６１】
以上のように、本実施の形態にかかる警備装置１００は、警備状態への設定処理では、警備状態への切換え操作が行われた後、またはＲＦＩＤ２００の押下ボタン２０１が押下されて警備開始要請信号が警備装置１００に送信された後、ＲＦＩＤタグ検知エリアβの範囲内に存在したＲＦＩＤタグ２００が範囲外に移動したと判断してから警備状態への設定を行う。また、警備解除状態への設定処理では、警備状態に設定されているときにセンサ１０３が異常検知したとき、ＲＦＩＤタグ検知エリアβの範囲内にＲＦＩＤタグ２００が存在すると判断した場合、異常検知した旨の通報は行わずに警備解除状態への設定を行う。従って、利用者が携帯するＲＦＩＤタグ２００がＲＦＩＤタグ検知エリアβの範囲内に存在するか否かをもとに警備状態または警備解除状態への設定を行うことができ、予め設定したタイマ時間内に操作や動作を完了する必要がないため利用者への負担を軽減し、かつ誤報を軽減して警備員の負担を軽減することができる。
【００６２】
（実施の形態２）
実施の形態１の警備装置は、利用者が携帯するＲＦＩＤタグの通信状態によって警備を設定したり解除することができるものであったが、本実施の形態では、ＲＦＩＤタグが複数存在する場合について説明する。
【００６３】
実施の形態２にかかる警備装置が配置された監視領域、センサ検知エリアα、ＲＦＩＤタグ検知エリアβ、および監視センタ８００は、実施の形態１と同様であるため説明を省略する（図１参照）。
【００６４】
次に、警備装置１００の詳細について説明する。図１２は、実施の形態２にかかる警備装置の構成を示すブロック図である。本実施の形態にかかる警備装置３００は、センサ１０３と、ＲＦＩＤリーダ３０４と、コントローラ３０１と、入出力制御部１１５と、制御部３５０と、通信制御部１１６と、タグ状態記憶部３３０とを主に備えている。ここで、センサ１０３、入出力制御部１１５、通信制御部１１６の構成および機能は、実施の形態１と同様であるため説明を省略する。
【００６５】
ＲＦＩＤリーダ３０４は、個々の利用者が携帯（所持）しているＲＦＩＤタグ４００を通信距離内で認識し、ＲＦＩＤタグ４００から送信される信号、すなわちＲＦＩＤタグ４００に記憶されているＲＦＩＤタグ４００に固有の識別情報であるタグＩＤを非接触で受信して読み取るものである。また、ＲＦＩＤリーダ３０４は、ＲＦＩＤタグ４００からタグＩＤを受信するとともに、ＲＦＩＤタグ４００から送信され、利用者が操作ボタン２０１を押下操作することにより、ＲＦＩＤリーダ３０４に、監視領域の警備モードを警備状態に設定することを要請するための警備開始要請信号（タグＩＤを含む）を受信する。
【００６６】
本実施の形態では、ＲＦＩＤタグ４００をＲＦＩＤタグ４００Ａ〜Ｃの３つを使用した例を示すが、これに限定されることなく２つまたは４つ以上の複数のＲＦＩＤタグを使用して構成してもよい。また、以下では、単にＲＦＩＤタグ４００と記載した場合、ＲＦＩＤタグ４００Ａ〜Ｃのいずれかの任意のＲＦＩＤタグを示すものとする。
【００６７】
ここで、本実施の形態のＲＦＩＤタグ４００は、警備装置３００のＲＦＩＤリーダ３０４に定期的にタグＩＤを送信している。そして、ＲＦＩＤリーダ３０４は、タグＩＤを定期的に受信し、警備装置３００に登録されているタグＩＤと認証することにより登録されたＲＦＩＤタグであることを確認している。また、ＲＦＩＤタグ４００は、定期的なタグＩＤの送信とは別に、付随する操作ボタン２０１を利用者により押下されることで、即時にＲＦＩＤリーダ３０４にタグＩＤを送信することができる。この場合は、タグＩＤとともに、上述したように、利用者による操作ボタン２０１の押下により、タグＩＤとともに監視領域を警備状態への設定を要請する警備開始要請信号も送信する。
【００６８】
コントローラ３０１は、利用者からの入力を受け付けるものであり、更に、操作表示部３０２を備えている。操作表示部３０２は、例えばタッチ入力式の液晶画面であり、利用者に対して設定画面を表示して、種々の入力を受け付けるものである。
【００６９】
タグ状態記憶部３３０は、ＲＦＩＤタグ４００のタグＩＤと、ＲＦＩＤタグ４００の通信状態と、ＲＦＩＤタグ４００を所持している利用者の状態を示す所持状態とを対応付けて登録した状態情報を記憶するハードディスクドライブ装置（ＨＤＤ）やメモリなどの記憶媒体である。
【００７０】
図１３は、タグ状態記憶部３３０に記憶された状態情報の一例を示す図である。図１３に示すように、ＲＦＩＤタグ４００Ａについては、タグＩＤである「００１」、通信状態である「圏内」、所持状態である「在宅中」が対応付けて登録されている。同様に、ＲＦＩＤ４００Ｂについては、タグＩＤである「００２」、通信状態である「圏内」、所持状態である「外出中」が対応付けられ、ＲＦＩＤ４００Ｃについては、タグＩＤである「００３」通信状態「圏外」、所持状態である「外出中」が対応付けられ登録されている。
【００７１】
ここで、「圏内」の状態とは、ＲＦＩＤタグ４００から送信されるタグＩＤを受信可能で、ＲＦＩＤタグ４００がＲＦＩＤタグ検知エリアβの内部に存在する状態をいう。また、「圏外」の状態とは、ＲＦＩＤタグ４００から送信されるタグＩＤを受信不可能で、ＲＦＩＤタグ４００がＲＦＩＤタグ検知エリアβの外部に存在する状態をいう。また、「外出中」の状態とは、ＲＦＩＤタグ４００を携帯している利用者が監視領域１０の外部にいる状態、および利用者が監視領域１０の外部にいるとみなす状態、つまり実際は利用者は監視領域１０の内部にいるが警備装置１００側では監視領域１０の外部にいると認識している状態をいう。また、「在宅中」の状態とは、ＲＦＩＤタグ４００を携帯している利用者が監視領域１０の内部にいる状態をいう。このように、ＲＦＩＤタグ４００の通信状態だけでなく所持状態をも登録しているのは、ＲＦＩＤタグ４００が複数存在する場合、一部のＲＦＩＤタグ４００が圏内に留まる可能性、つまり利用者がＲＦＩＤタグ４００を置き忘れて外出する可能性があるためであり、警備モードの設定がなされると、ＲＦＩＤタグ４００の所持状態が在宅中もしくは外出中であるかの判断がなされる。
【００７２】
制御部３５０は、警備装置３００の全体制御を行うものであり、さらに、警備モード設定部３５１と、警備モード記憶部１５２と、タグ検知部３５４と、通報部１５５と、報知部１５６とを主に備えている。ここで、警備モード記憶部１５２と、通報部１５５と、報知部１５６の構成及び機能は、実施の形態１と同様であるため説明を省略する。
【００７３】
タグ検知部３５４は、ＲＦＩＤタグ４００から警備開始要請信号をＲＦＩＤリーダ３０４で受信した場合、さらに警備開始要請信号を送信したＲＦＩＤタグ４００から送信されたタグＩＤを受信したか否かを判断することにより、警備開始要請信号を送信したＲＦＩＤタグ４００の存在の有無を検知する。すなわち、これにより、タグ検知部３５４は、ＲＦＩＤタグ４００から送信されたタグＩＤが受信可能な範囲、すなわちＲＦＩＤタグ検知エリアβにＲＦＩＤタグ４００が存在するか否かを判断する。
【００７４】
また、タグ検知部３５４は、ＲＦＩＤタグ４００を検知してその検知結果により、タグ状態記憶部３３０に当該タグのタグＩＤに対応させて所持状態（「外出中」、「在宅中等」）を登録する。
【００７５】
ここで、警備モードが警備状態に設定された後に、タグ検知部３５４がＲＦＩＤタグ４００の所持状態を「在宅中」としてタグ状態記憶部３３０の状態情報に登録する場合は、利用者が監視領域１０内にいる場合に携帯しているＲＦＩＤタグ４００や、利用者がＲＦＩＤタグ４００を携帯せずに外出した場合に監視領域１０内に置き忘れられた場合である。
【００７６】
また、警備モードが警備状態に設定された後に、タグ検知部３５４がタグＩＤが受信不可能であるＲＦＩＤタグ４００の所持状態を「外出中」としてタグ状態記憶部３３０の状態情報に登録する場合は、監視領域１０が警備状態に設定される前に監視領域１０から利用者がＲＦＩＤタグ４００と共に外出した場合である。
【００７７】
また、タグ検知部３５４は、監視領域の警備モードが警備状態に設定されている場合においてセンサ１０３により異常が検知された場合、タグＩＤが受信されたか否かによりタグの存在を検知する。また、タグ検知部３５４は、タグを検知した場合、タグ状態記憶部３３０に記憶されている状態情報を参照して、受信したタグＩＤをキーに検索することで、該タグＩＤを受信したＲＦＩＤタグ４００（ＲＦＩＤタグ検知エリアβに存在するＲＦＩＤタグ４００）の所持状態が、「外出中」であるか否かを判断する。
【００７８】
警備モード設定部３５１は、警備開始要請信号を受信した後に、タグ検知部３５４によって警備開始要請信号を送信したＲＦＩＤタグ４００が圏内にあると判断される間は、警備状態への設定を保留する。そして、警備モード設定部３５１は、警備開始要請信号を送信したＲＦＩＤタグ４００を検知できず圏外にあると判断された時点で、警備モード記憶部１５２に警備状態を記憶させることにより、現在の警備モードを警備解除状態から警備状態に切替えて設定する。つまり、警備開始要請信号を送信したＲＦＩＤタグ４００が圏内から圏外に移行したことによって、操作ボタン２０１を押下した利用者が監視領域１０から退館したことが確認できるため、警備状態に設定することになる。
【００７９】
また、警備モード設定部３５１は、監視領域の現在の警備モードが警備状態に設定されている場合においてセンサ１０３により監視領域１０の異常が検知された後、タグ検知部３５４によりＲＦＩＤタグ４００が圏内にあると判断され、さらに、該ＲＦＩＤタグ４００の所持状態が「外出中」であった場合には、警備モード記憶部１５２に警備解除状態を記憶させることにより、監視領域の現在の警備モードを警備状態から警備解除状態に切替えて設定する。つまり、「外出中」のＲＦＩＤタグ４００が圏内にあることによって、センサ１０３により検知した入館者が正当な利用者であることが確認できるため、警備解除状態に設定することになる。
【００８０】
次に、以上のように構成された実施の形態２にかかる警備装置３００における警備状態の設定処理について説明する。警備除状態の設定が行われるのは、利用者が監視領域から退館（外出）する場合である。図１４は、実施の形態２にかかる警備装置における警備状態の設定処理の手順を示すフローチャートである。また、図１５、図１６および図１７は、実施の形態２にかかる警備装置における警備状態の設定処理の過程を示す説明図である。
【００８１】
まず、タグ検知部３５４は、ＲＦＩＤタグ４００からタグＩＤを含む警備開始要請信号をＲＦＩＤリーダ１０４で受信したか否かを判断する（ステップＳ５０）。そして、警備開始要請信号を受信していない場合（ステップＳ５０：Ｎｏ）、警備開始要請信号を受信するまで待機する。
【００８２】
図１５に示すように、ＲＦＩＤタグ４００Ｂを携帯している利用者が在宅中であれば、ＲＦＩＤタグ４００ＢもＲＦＩＤタグ検知エリアβの内部に存在しているため、監視領域１０の内部に設置されているＲＦＩＤリーダ３０４は、ＲＦＩＤタグ４００Ｂから送信されるタグＩＤを受信することができ、警備装置３００はＲＦＩＤタグ４００Ｂが圏内にあると認識する。また、ＲＦＩＤタグ４００Ａは監視領域１０に置き忘れられていることから、ＲＦＩＤタグ検知エリアβの内部に存在しているため、ＲＦＩＤリーダ３０４は、ＲＦＩＤタグ４００Ａから送信されるタグＩＤを受信することができ、警備装置３００はＲＦＩＤタグ４００Ａが圏内にあると認識する。一方、ＲＦＩＤタグ４００Ｃを携帯している利用者は外出中であるため、ＲＦＩＤタグ４００ＣもＲＦＩＤタグ検知エリアβの外部に存在しているため、ＲＦＩＤリーダ３０４は、ＲＦＩＤタグ４００Ｃから送信されるタグＩＤを受信することができず、警備装置３００はＲＦＩＤタグ４００Ｃが圏外にあると認識する。
【００８３】
そして、図１６に示すように、監視領域１０から退館して外出する際に警備状態に設定する場合、ＲＦＩＤタグ４００Ｂを携帯している利用者はＲＦＩＤタグ４００Ｂの操作ボタン２０１を押下して、タグＩＤを含む警備開始要請信号を送信することで警備モードを警備解除状態から警備状態への設定操作を行う。
【００８４】
図１４に戻り、タグＩＤを含む警備開始要請信号を受信した場合（ステップＳ５０：Ｙｅｓ）、タグ検知部３５４は、所定時間内にステップＳ５０で受信したタグＩＤと同一のタグＩＤをＲＦＩＤリーダ３０４により受信したか否かを判断することにより、警備開始要請信号を送信したＲＦＩＤタグ４００の検知の判断を行う（ステップＳ５１）。警備開始要請信号を送信したＲＦＩＤタグ４００を検知した場合（ステップＳ５１：Ｙｅｓ）、再度ステップＳ５１の処理を繰り返す。警備開始要請信号を受信した直後は、利用者はまだＲＦＩＤタグ検知エリアβにいるため、ＲＦＩＤタグ４００ＢもＲＦＩＤタグ検知エリアβの内部に存在することになり、ＲＦＩＤタグ４００Ｂから送信されたタグＩＤを受信し、ＲＦＩＤタグ４００Ｂが圏内にあることが確認できる。
【００８５】
一方、警備開始要請信号を送信したＲＦＩＤタグ４００を検知できなかった場合（ステップＳ５１：Ｎｏ）、タグ検知部３５４がＲＦＩＤタグ４００ＢはＲＦＩＤタグ検知エリアβの外部に存在するため圏外にあると判断する。そして、警備モード設定部３５１は、警備モード記憶部１５２に警備状態を記憶させることにより、監視領域１０の現在の警備モードを警備解除状態から警備状態に切替えて設定する（ステップＳ５２）。これは、警備開始要請信号を送信して切替入力を行った利用者が監視領域１０から退館したと判断している。
【００８６】
つまり、図１７に示すように、ＲＦＩＤ４００Ｂの操作ボタン２０１を押下することにより警備開始要請信号を送信した後、ＲＦＩＤタグ４００Ｂを携帯した利用者は、出入口１１を通過してＲＦＩＤタグ検知エリアβの内部から外部へ出て行く。そうすると、ＲＦＩＤタグ４００ＢもＲＦＩＤタグ検知エリアβの外部に存在することになる。
【００８７】
次に、所定時間待機し（ステップＳ５３）、その後、タグ検知部３５４は、タグ状態記憶部３３０の状態情報に登録されているタグＩＤのＲＦＩＤタグ４００の存在を検知する（ステップＳ５４）。そして、タグ検知部３５４は、その検知結果によって、各ＲＦＩＤタグ４００の状態を、タグ状態記憶部３３０の状態情報のタグＩＤに対応付けて保存する（ステップＳ５５）。
【００８８】
ここで、ステップＳ５３において、所定時間待機するのは、警備開始要請信号を送信したＲＦＩＤタグ４００を所持する利用者と同時に外出する他のＲＦＩＤタグ４００を所持する利用者が存在する場合も考えられ、これらの利用者が監視領域から外出する時間を考慮したためである。このため、同時に外出する利用者が所持するＲＦＩＤタグ４００がまだ圏内に存在していたことによる所持状態の判定の誤りを防止することができる。
【００８９】
例えば、タグ検知部３５４は、タグＩＤが受信可能であるＲＦＩＤタグ４００の所持状態を「在宅中」としてタグ状態記憶部３３０の状態情報に当該ＲＦＩＤタグ４００のタグＩＤに対応付けて登録する。また、タグ検知部３５４は、タグＩＤが受信不可能であるＲＦＩＤタグ４００の所持状態を「外出中」としてタグ状態記憶部３３０の状態情報に当該ＲＦＩＤタグ４００のタグＩＤに対応付けて登録する。これにより、他の外出した利用者が携帯しているＲＦＩＤタグ４００Ｃの所持状態を「外出中」と登録することができ、このＲＦＩＤタグ４００Ｃを携帯している利用者が帰宅して監視領域１０の警備モードを警備解除状態にすることができる。
【００９０】
このように、警備装置３００による警備状態の設定処理では、タグＩＤと警備開始要請信号を受信し、圏内にあったＲＦＩＤタグ４００が圏外にあると判断された場合、警備モード設定部１５１は、現在の警備モードを警備解除状態から警備状態に切り替える設定を行う。これによって、警備状態に設定した後に予め定めたタイマ時間内に退館完了する必要がなくなる。また、操作ボタン２０１を押下されたＲＦＩＤタグ４００によってのみ警備状態に設定可能となり、監視領域１０に置き忘れたことなどによりＲＦＩＤタグ検知エリアβの内部に存在するＲＦＩＤタグ４００は操作ボタン２０１が押下されていないため、警備状態に設定不可能となっている。
【００９１】
なお、警備状態の設定処理として、以下のように構成することもできる。図１８は、実施の形態２の警備状態の設定処理の他の例の手順を示すフローチャートである。警備開始要請信号の受信から警備状態の設定までの処理（ステップＳ６０〜Ｓ６２）については図１４のステップＳ５０からＳ５２までの処理と同様に行われる。
【００９２】
次に、警備モード設定部１５２が警備モードを警備状態に設定したら、タグ検知部３５４は、タグ状態記憶部３３０の状態情報において警備開始要請信号を送信したＲＦＩＤタグ４００の所持状態を「外出中」として保存する（ステップＳ６３）。そして、所定時間待機し（ステップＳ６４）、その後、タグ検知部３５４は、警備開始要請信号を送信したＲＦＩＤタグ４００以外の他のＲＦＩＤタグ４００を検知する（ステップＳ６５）。そして、タグ検知部３５４は、その検知結果によって、当該他の各ＲＦＩＤタグ４００の状態を、タグ状態記憶部３３０の状態情報のタグＩＤに対応付けて保存する（ステップＳ６６）。
【００９３】
このように、警備状態に設定した後、すぐに警備開始要請信号を送信したＲＦＩＤタグ４００の所持状態を「外出中」として保存する一方、他のＲＦＩＤタグ４００の検知は所定時間経過後に行うのは、操作ボタン２０１を押下した利用者は外出することを前提としているため、操作後にすぐに外出して圏外にいくことが考えられる一方、当該利用者とともに外出しようとしている利用者は監視領域を離れるまで時間を要する場合があることを考慮したためである。このため、外出する利用者が所持するＲＦＩＤタグ４００がまだ圏内に存在していたことによる所持状態の判定の誤りを防止することができる。
【００９４】
次に、実施の形態２警備装置３００における警備解除状態の設定処理について説明する。警備解除状態の設定が行われるのは、利用者が監視領域に入館（帰宅）した場合である。図１９は、実施の形態２にかかる警備装置における警備解除状態の設定処理の手順を示すフローチャートである。また、図２０、図２１および図２２は、実施の形態２にかかる警備装置における警備解除状態の設定処理の過程を示す説明図である。
【００９５】
警備モード記憶部３５２に監視領域１０が警備状態と記憶されているときに（ステップＳ３０：Ｙｅｓ）、センサ１０３により監視領域１０において異常が検知されると（ステップＳ３１：Ｙｅｓ）、タグ検知部１５４の検知結果をもとにＲＦＩＤタグ２００がＲＦＩＤタグ検知エリアβの範囲内に存在するか否かを確認する（ステップＳ３２）。
【００９６】
図２０に示すように、２人の利用者は外出する際にそれぞれＲＦＩＤタグ４００Ｂ、４００Ｃを携帯している。そして、監視領域１０の内部、すなわちＲＦＩＤタグ検知エリアβの内部にはＲＦＩＤタグ４００Ａが置き忘れられている。この状態では、上記２人の利用者はＲＦＩＤタグ検知エリアβの外部にいることから、ＲＦＩＤタグ４００Ｂ、４００ＣもＲＦＩＤタグ検知エリアβの外部に存在しているため、監視領域１０の内部に設置されているＲＦＩＤリーダ３０４は、ＲＦＩＤタグ４００Ｂ、４００Ｃから送信されるタグＩＤを受信することができず、警備装置３００はＲＦＩＤタグ４００Ｂ、４００Ｃが圏外にあると認識する。また、ＲＦＩＤタグ４００Ａは、ＲＦＩＤタグ検知エリアβの内部に存在しているため、ＲＦＩＤリーダ３０４は、ＲＦＩＤタグ４００Ａから送信されるタグＩＤを受信することができ、警備装置３００はＲＦＩＤタグ４００Ａが圏内にあると認識する。
【００９７】
そして、図２１に示すように、ＲＦＩＤタグ４００Ｂを携帯している利用者が帰宅する場合、利用者はＲＦＩＤタグ検知エリアβの内部に入った後、出入口１１を通過して監視領域１０の内部に入り、さらにセンサ検知エリアαを通過する。このときセンサ１０３は、ＲＦＩＤタグ４００Ｂを携帯した利用者を検知することになる。
【００９８】
図１９に戻り、ＲＦＩＤタグ４００ＢがＲＦＩＤタグ検知エリアβの範囲内に存在しないと判断された場合（ステップＳ３２：Ｎｏ）、センサ１０３により検知されたのは利用者以外の侵入者等であるので、通報部１５５により監視センタ８００への通報を行う（ステップＳ３６）。
【００９９】
一方、ＲＦＩＤタグ４００ＢがＲＦＩＤタグ検知エリアβの範囲内に存在すると判断された場合（ステップＳ３２：Ｙｅｓ）、タグ検知部３５４は、ＲＦＩＤタグ４００Ｂは圏内にあると判断し、状態情報を参照してＲＦＩＤタグ４００Ｂの所持状態が「外出中」であるか否かを判断する（ステップＳ３３）。ＲＦＩＤタグ４００Ｂの所持状態が「外出中」でない場合、すなわち「在宅中」である場合（ステップＳ３３：Ｎｏ）、通報部１５５は、監視センタ８００に異常検知情報を通報する（ステップＳ３６）。
【０１００】
一方、ＲＦＩＤタグ４００Ｂの所持状態が「外出中」であった場合（ステップＳ３３：Ｙｅｓ）、警備モード設定部３５１は、警備モード記憶部１５２に警備解除状態を記憶させることにより、現在の警備モードを警備状態から警備解除状態に切替えて設定する（ステップＳ３４）。つまり、センサ１０３は帰宅した正当な利用者を検知したと判断している。
【０１０１】
その後、監視領域１０にＲＦＩＤタグ４００Ｃを携帯した利用者が帰宅した場合、監視領域１０は警備解除状態に設定されているため、図２２に示すように、該利用者はＲＦＩＤタグ検知エリアβの内部に入って、そのまま出入口１１から監視領域１０に入館することが可能となっている。
【０１０２】
このように、警備装置３００による警備解除状態の設定処理では、現在の警備モードが警備状態である場合においてセンサ１０３による検知があり、ＲＦＩＤタグ４００が圏内にあり、かつ該ＲＦＩＤタグ４００の所持状態が「外出中」であった場合、警備モード設定部３５１は、現在の警備モードを警備状態から警備解除状態に切り替える設定を行う。これによって、予め定めたタイマ時間内において警備解除状態に設定する必要がなくなる。また、所持状態が「外出中」と判断されたＲＦＩＤタグ４００によってのみ警備解除状態に設定可能となり、監視領域１０に置き忘れたことなどによりＲＦＩＤタグ検知エリアβの内部に存在するＲＦＩＤタグ４００では警備解除状態に設定不可能となっている。
【０１０３】
以上のように、本実施の形態にかかる警備装置３００は、警備状態の設定処理において、警備開始要請信号を受信して警備開始要請信号を送信したＲＦＩＤタグ４００が圏内から移行して圏外にあると判断された場合、現在の警備モードを警備解除状態から警備状態に切り替える設定を行う。また、警備解除状態の設定処理では、現在の警備モードが警備状態である場合には、ＲＦＩＤタグ４００を携帯している利用者を検知し、ＲＦＩＤタグ４００が圏内にあり、さらにそのＲＦＩＤタグ４００の所持状態が「外出中」であると判断された場合、現在の警備モードを警備状態から警備解除状態に切り替える設定を行う。従って、利用者が携帯するＲＦＩＤタグ４００の通信状態によって警備を設定したり、解除することができ、予め設定したタイマ時間内に操作や動作を完了する必要がないため利用者への負担を軽減し、かつ誤報を軽減して警備員の負担を軽減することができる。また、所持状態を管理してＲＦＩＤタグ４００を利用するため、複数のＲＦＩＤタグ４００を利用することができる。
【０１０４】
また、本実施の形態では、ＲＦＩＤタグ４００から送信された警備開始要請信号を受信した場合に、監視領域１０の警備モードを警備状態に設定している。このように警備開始要請信号を送信しただけでは、警備開始要請信号を送信したＲＦＩＤタグ４００を携帯している利用者は、操作ボタン２０１の押下操作をしたものの、実際に警備開始要請信号が警備装置３００に送信され、警備状態に設定されたかを認識することができない。従って、以下のような構成を追加してもよい。
【０１０５】
まず、ＲＦＩＤタグ４００に報知部を設け、警備装置３００に操作応答部を設ける。そして、警備装置３００の送信部は、ＲＦＩＤタグ４００からタグＩＤを含む警備開始要請信号を受信した後、警備開始要請信号を受理した旨を示す操作応答信号を、警備開始要請信号を送信したＲＦＩＤタグ４００に送信する。ＲＦＩＤタグ４００の報知部は、警備装置３００から送信された操作応答信号を受信した場合に、警備開始要請信号が受理された旨を示す所定の処理、例えば、ブザーを鳴動させたり、ランプを点灯させる処理を行うように構成する。これにより、利用者は、監視領域１０の警備モードを警備状態に設定するための操作が受理されたことを確認することができる。
【０１０６】
また、ＲＦＩＤタグ４００を携帯した利用者が、ＲＦＩＤタグ検知エリアβの内部から外部に移動することにより、ＲＦＩＤタグ４００が圏内から圏外に移行した場合、警備装置３００は、該利用者が別途所持する携帯電話などの携帯端末に、現在の警備装置３００による監視領域１０の警備モードを電子メール等で送信して通知するように構成してもよい。また、同じく、ＲＦＩＤタグ４００が圏内から圏外に移行した場合、警備装置３００は、該利用者が携帯しているＲＦＩＤタグ４００に、現在の警備装置３００による監視領域１０の警備モードを送信して通知するように構成してもよい。これにより、利用者は、監視領域１０の現在の警備モードを確認することができる。
【０１０７】
また、利用者がＲＦＩＤタグ４００の操作ボタン２０１を押下することにより、ＲＦＩＤタグ２００が圏外になると同時に警備状態に設定する旨の設定予約状態となるが、この設定予約状態は警備状態に設定されなかった場合に一定時間経過すると解除される。従って、設定予約状態が解除された後に、ＲＦＩＤタグ４００を携帯した利用者がＲＦＩＤタグ検知エリアβの内部から外部に移動しても（圏内から圏外に行っても）、警備状態に設定されることはない。この場合に、上述したように、利用者が外出した際に、利用者が別途所持している携帯電話等の携帯端末やＲＦＩＤタグ４００に現在の警備モードを送信することで、利用者は監視領域１０の警備モードが警備状態に設定されていないことを確認することができる。そして、再度ＲＦＩＤタグ４００の操作ボタン２０１を押下して、監視領域１０の警備モードを警備解除状態から警備状態に設定することができる。
【０１０８】
また、利用者が帰宅して監視領域１０の警備モードが警備状態から警備解除状態に設定された場合、操作表示部３０２に、警備を解除した旨を表示してもよい。
【０１０９】
（実施の形態２の変形例１）
実施の形態２の警備装置は、個々の利用者が携帯する複数のＲＦＩＤタグの通信状態によって警備を設定したり解除することができ、警備状態に設定する場合には、ＲＦＩＤタグの操作ボタン２０１を押下して警備開始要請信号を送信してから監視領域から外出するものであったが、本変形例１では、さらに、警備開始要請信号を送信せずに監視領域から外出した場合のＲＦＩＤタグについての処理について説明する。
【０１１０】
監視領域１０の警備モードが警備状態に設定されている場合、通常監視領域１０の内部には利用者は不在である。そのような状態において、実施の形態２におけるＲＦＩＤタグ４００Ａのように、利用者が外出する際に携帯せず置き忘れたＲＦＩＤタグ４００ＡがＲＦＩＤタグ検知エリアβに存在する場合がある。そのようなＲＦＩＤタグ４００Ａは、警備装置３００側で、通信状態は「圏内」であって、所持状態は「在宅中」であると判断され、タグ状態記憶部３３０に保存された状態情報に登録されている。
【０１１１】
そして、本変形例１の警備装置３００におけるタグ検知部３５４は、監視領域１０の警備モードが警備状態に設定されている場合に、置き忘れたＲＦＩＤタグ４００Ａから送信されたタグＩＤがその後受信できない状態に変化した場合、該ＲＦＩＤタグ４００Ａを通信状態「圏外」で、所持状態が「消失中」であると判断し、タグ状態記憶部３３０に保存されている状態情報に登録する。「消失中」の状態とは、ＲＦＩＤタグ４００の所在が警備装置３００側で把握できない状態を示している。
【０１１２】
ＲＦＩＤタグ４００の所持状態が「消失中」となるには、以下のような場合が考えられる。図２３は、置き忘れたＲＦＩＤタグがＲＦＩＤタグ検知エリアの外部に持ち出された場合を示す図である。第１に、図２３に示すように、ＲＦＩＤタグ検知エリアβの内部に存在したＲＦＩＤタグ４００Ａが、不正な侵入者等により盗まれた場合である。また、第２に、ＲＦＩＤ４００Ａの電池が完全に消耗してタグＩＤを送信できない場合である。
【０１１３】
このように、所持状態が「消失中」となったＲＦＩＤタグ４００があった場合、警備装置３００の操作表示部３０２は、その旨を液晶画面の表示部に表示することで、利用者に所持状態が「消失中」のＲＦＩＤタグ４００があるとの注意を促す。また、警備装置３００は、所持状態が「消失中」となったＲＦＩＤタグ４００によっては、監視領域１０の警備モードを警備状態から警備解除状態に切り替える設定ができないようにする。
【０１１４】
そして、タグ検知部３５４は、監視領域１０の警備モードが警備状態または警備解除状態などいずれの状態に設定されている場合でも、所持状態が「消失中」であるＲＦＩＤタグ４００ＡからのタグＩＤが受信された場合、すなわち該ＲＦＩＤタグ４００Ａが圏外から圏内にあると変化した場合、該ＲＦＩＤタグ４００Ａを通信状態「圏内」で、所持状態が「在宅中」であると判断し、タグ状態記憶部３３０に保存されている状態情報に登録する。
【０１１５】
このように、本変形例１の警備装置３００は、監視領域１０の警備モードが警備状態に設定されている場合に、圏内から圏外に変化したＲＦＩＤタグ４００の所持状態を「消失中」と判断することで、「消失中」のＲＦＩＤタグ４００では、警備モードを警備解除状態に設定することを不可能にして、不正な侵入者の入館を抑制することができる。
【０１１６】
（実施の形態２の変形例２）
実施の形態２の警備装置は、個々の利用者が携帯する複数のＲＦＩＤタグの状態を登録して、ＲＦＩＤタグの所持状態が「外出中」または「在宅中」である旨を判断していたが、本変形例２では、「在宅中」のＲＦＩＤタグの所持状態を、さらに詳細に登録して、ＲＦＩＤタグの状態を把握するものである。
【０１１７】
ＲＦＩＤタグ４００は、監視領域１０の内部、すなわちＲＦＩＤタグ検知エリアβの内部に設置されている保持器４５０に保持されている。図２４は、ＲＦＩＤタグが充電器の充電位置に載置されて充電されている状態を示す図である。この保持器４５０は、ＲＦＩＤ４００を保持しているとき媒体保持信号を送信する機能を有している。
【０１１８】
また、警備装置３００には、保持器４５０に保持されていないＲＦＩＤタグ４００が存在する旨を報知する放置タグ報知部を設ける。
【０１１９】
そして、検知部３５４で検知された領域内に存在するＲＦＩＤタグ４００の数と、保持器４５０から受信した媒体保持信号とから判断される保持器４５０に保持されているＲＦＩＤタグ４００とに差異が生じたか否かを判断し、この差異のある状態が所定時間以上継続した場合に、保持器４５０に保持されていないＲＦＩＤタグ４００が存在する旨を報知するように放置タグ報知部を構成する。これにより、利用者は放置されたいるＲＦＩＤタグ４００を認識することが可能となる。
【０１２０】
また、この保持器４５０を充電機能を有するように構成してもよい。ＲＦＩＤタグ４００は、保持器４５０の所定の充電位置に載置されることによって充電が行われる。図２５は、ＲＦＩＤタグが充電器の充電位置から外され充電されていない状態を示す図である。
【０１２１】
警備装置３００のタグ検知部３５４は、ＲＦＩＤタグ４００がＲＦＩＤタグ検知エリアβに存在する場合、該ＲＦＩＤタグ４００の通信状態は「圏内」であると判断し、タグ状態記憶部３３０に保存された状態情報に登録されている。ＲＦＩＤタグ４００は、圏内に存在する場合に、保持器４５０の充電機能から充電されているか否かを、充電位置に載置されているか否かを検知することにより判断する。
【０１２２】
そして、図２５に示すように、ＲＦＩＤタグ４００が保持器４５０の充電位置に載置されて充電されている場合、その旨の信号をＲＦＩＤタグ４００から受信することで、タグ検知部３５４は、ＲＦＩＤタグ４００の所持状態が保持器４５０から電力が供給され充電中である旨を示す「待機中」と判断し、タグ状態記憶部３３０に保存された状態情報に登録される。
【０１２３】
また、図２５に示すように、ＲＦＩＤタグ４００が保持器４５０の充電位置から外されて充電されていない場合、その旨の信号をＲＦＩＤタグ４００から受信することで、タグ検知部３５４は、ＲＦＩＤタグ４００の所持状態が保持器４５０の充電機能から電力が供給されておらず充電中ではない旨を示す「持出中」と判断し、タグ状態記憶部３３０に保存された状態情報に登録されている。
【０１２４】
そして、本変形例２の警備装置３００におけるタグ検知部３５４は、監視領域１０の警備モードが警備状態に設定されている場合に、所持状態を「持出中」と判断したＲＦＩＤタグ４００から送信されたタグＩＤが受信できずＲＦＩＤタグ４００を検知できない状態に変化した場合、該ＲＦＩＤタグ４００を通信状態「圏外」で、所持状態が「消失中」であると判断し、タグ状態記憶部３３０に保存されている状態情報に登録する。
【０１２５】
ＲＦＩＤタグ４００の所持状態が「消失中」となるには、実施の形態２の変形例１と同様に、以下のような場合が考えられる。図２６は、所持状態が「持出中」のＲＦＩＤタグがＲＦＩＤタグ検知エリアの外部に持ち出された場合を示す図である。第１に、図２６に示すように、ＲＦＩＤタグ検知エリアβの内部に存在したＲＦＩＤタグ４００が、不正な侵入者等により盗まれた場合である。また、第２に、ＲＦＩＤ４００の電池が完全に消耗してタグＩＤを送信できない場合である。
【０１２６】
このように、所持状態が「消失中」となったＲＦＩＤタグ４００があった場合、警備装置３００の操作表示部３０２は、その旨を液晶画面の表示部に表示することで、利用者に所持状態が「消失中」のＲＦＩＤタグ４００があるとの注意を促す。また、警備装置３００は、所持状態が「消失中」となったＲＦＩＤタグ４００によっては、監視領域１０の警備モードを警備状態から警備解除状態に切り替える設定ができないようにする。
【０１２７】
そして、タグ検知部３５４は、監視領域１０の警備モードが警備状態または警備解除状態などいずれの状態に設定されている場合でも、所持状態が「消失中」であるＲＦＩＤタグ４００からのタグＩＤが受信された場合、すなわち該ＲＦＩＤタグ４００が圏外から圏内にあると変化した場合、該ＲＦＩＤタグ４００を通信状態「圏内」で、所持状態が「持出中」であると判断し、タグ状態記憶部３３０に保存されている状態情報に登録する。
【０１２８】
また、タグ検知部３５４は、監視領域１０の警備モードが警備状態または警備解除状態などいずれの状態に設定されている場合、置き忘れなどにより所定時間より長い時間所持状態が「持出中」であるＲＦＩＤタグ４００があった場合、警備装置３００の操作表示部３０２は、ＲＦＩＤタグ４００を保持器４５０の充電位置に載置して充電すべき旨を液晶画面の表示部に表示することで、利用者に所持状態が「持出中」のＲＦＩＤタグ４００を充電するように注意を促す。また、警備装置３００は、所持状態が「持出中」もしくは「待機中」となったＲＦＩＤタグ４００によっては、監視領域１０の警備モードを警備状態から警備解除状態に切り替える設定ができないようにする。
【０１２９】
このように、本変形例２の警備装置３００は、保持器４５０の充電機能による充電中であるＲＦＩＤタグの所持状態を「待機中」と判断し、保持器４５０の充電機能により充電されていないＲＦＩＤタグの所持状態を「持出中」と判断し、「持出中」であるＲＦＩＤタグ４００を充電するよう促すことで、電池の消耗によるＲＦＩＤタグのタグＩＤの誤認識を回避することができる。
【０１３０】
（実施の形態２の変形例３）
実施の形態２の警備装置は、充電器によって充電された複数のＲＦＩＤタグの通信状態によって警備を設定したり解除することができるものであったが、本変形例３では、さらに、該ＲＦＩＤタグの電池の状態を把握するものである。
【０１３１】
ＲＦＩＤタグ４００を、内蔵電池の電力量を検知する電力量検知部と、検知された電力量が所定量以下であると判断された場合に、電力低下している旨を報知する電力低下報知部とをさらに備えるように構成する。
これにより、本変形例３のＲＦＩＤタグ４００は、内蔵電池の電力量が所定量より少なくなると、警告を表示して充電を行うよう促すことで、電池の消耗によるＲＦＩＤタグのタグＩＤの誤認識を回避することができる。
【図面の簡単な説明】
【０１３２】
【図１】実施の形態１にかかる警備装置が配置された監視領域を示す図である。
【図２】実施の形態１にかかる警備装置の構成を示すブロック図である。
【図３】ＲＦＩＤタグの通信状態の説明図である。
【図４】ＲＦＩＤタグの通信状態の説明図である。
【図５】実施の形態１にかかる警備装置における警備状態の設定処理の手順を示すフローチャートである。
【図６】実施の形態１にかかる警備装置における警備状態の設定処理の過程を示す説明図である。
【図７】実施の形態１にかかる警備装置における警備状態の設定処理の過程を示す説明図である。
【図８】実施の形態１にかかる警備装置における警備解除状態の設定処理の手順を示すフローチャートである。
【図９】実施の形態１にかかる警備装置における警備解除状態の設定処理の過程を示す説明図である。
【図１０】実施の形態１にかかる警備装置における警備解除状態の設定処理の過程を示す説明図である。
【図１１】実施の形態１にかかる警備装置における警備解除状態の設定処理の他の例の手順を示すフローチャートである。
【図１２】実施の形態２にかかる警備装置の構成を示すブロック図である。
【図１３】タグ状態記憶部３３０に記憶された状態情報の一例を示す図である。
【図１４】実施の形態２にかかる警備装置における警備状態の設定処理の手順を示すフローチャートである。
【図１５】実施の形態２にかかる警備装置における警備状態の設定処理の過程を示す説明図である。
【図１６】実施の形態２にかかる警備装置における警備状態の設定処理の過程を示す説明図である。
【図１７】実施の形態２にかかる警備装置における警備状態の設定処理の過程を示す説明図である。
【図１８】実施の形態２にかかる警備装置における警備状態の設定処理の他の例の手順を示すフローチャートである。
【図１９】実施の形態２にかかる警備装置における警備解除状態の設定処理の手順を示すフローチャートである。
【図２０】実施の形態２にかかる警備装置における警備解除状態の設定処理の過程を示す説明図である。
【図２１】実施の形態２にかかる警備装置における警備解除状態の設定処理の過程を示す説明図である。
【図２２】実施の形態２にかかる警備装置における警備解除状態の設定処理の過程を示す説明図である。
【図２３】置き忘れたＲＦＩＤタグがＲＦＩＤタグ検知エリアの外部に持ち出された場合を示す図である。
【図２４】ＲＦＩＤタグが保持器に載置されている状態を示す図である。
【図２５】ＲＦＩＤタグが保持器の充電位置から外され充電されていない状態を示す図である。
【図２６】所持状態が「持出中」のＲＦＩＤタグがＲＦＩＤタグ検知エリアの外部に持ち出された場合を示す図である。
【符号の説明】
【０１３３】
１０  監視領域
１１  出入口
１００，３００  警備装置
１０１，３０１  コントローラ
１０２，３０２  操作表示部
１０３  センサ
１０４，３０４  ＲＦＩＤリーダ
１１５  入出力制御部
１１６  通信制御部
１５０，３５０  制御部
１５１，３５１  警備モード設定部
１５２  警備モード記憶部
１５４，３５４  タグ検知部
１５５  通報部
１５６  報知部
２００，４００  ＲＦＩＤタグ
４５０  保持器
８００  監視センタ
９００  ネットワーク
α  センサ検知エリア
β  ＲＦＩＤタグ検知エリア
【図１】
0005010423.tif 000002
【図２】
0005010423.tif 000003
【図３】
0005010423.tif 000004
【図４】
0005010423.tif 000005
【図５】
0005010423.tif 000006
【図６】
0005010423.tif 000007
【図７】
0005010423.tif 000008
【図８】
0005010423.tif 000009
【図９】
0005010423.tif 000010
【図１０】
0005010423.tif 000011
【図１１】
0005010423.tif 000012
【図１２】
0005010423.tif 000013
【図１３】
0005010423.tif 000014
【図１４】
0005010423.tif 000015
【図１５】
0005010423.tif 000016
【図１６】
0005010423.tif 000017
【図１７】
0005010423.tif 000018
【図１８】
0005010423.tif 000019
【図１９】
0005010423.tif 000020
【図２０】
0005010423.tif 000021
【図２１】
0005010423.tif 000022
【図２２】
0005010423.tif 000023
【図２３】
0005010423.tif 000024
【図２４】
0005010423.tif 000025
【図２５】
0005010423.tif 000026
【図２６】
0005010423.tif 000027